(57)【要約】【課題】簡素な構成で、気密性を保持しつつ、経路規制及び製造を容易に行うことができる電線保護パイプ及びこの電線保護パイプに電線が挿通されたワイヤハーネスを提供する。【解決手段】電線保護パイプ１は、端部に係止構造２ａを有するストレート形状パイプ２と、係止構造２ａにおいてストレート形状パイプ２と接続する、長手方向に谷部３１と山部３２とが連続したベローズ形状パイプ３と、を備える。係止構造２ａは、ストレート形状パイプ２の内周面の一部を内側に突出させた係止部２１を含む。ベローズ形状パイプ３は、ストレート形状パイプ２と接続する側の端部が谷部３１である。係止部２１の内径は、山部３２の外径よりも小さくかつ谷部３１の外径よりも大きい。ストレート形状パイプ２とベローズ形状パイプ３とは、係止構造２ａにおいて、ストレート形状パイプ２の一部と谷部３１の外周面とが接触し、かつ、互いに隣接する山部３２の間に係止部２１が嵌め合わされたことにより、互いに固定される。【選択図】図６
2020088930.tif 000002
【特許請求の範囲】
【請求項１】
端部に係止構造を有するストレート形状パイプと、
前記係止構造において前記ストレート形状パイプと接続する、長手方向に谷部と山部とが連続したベローズ形状パイプと、を備え、
前記係止構造は、前記ストレート形状パイプの内周面の一部を内側に環状に突出させた係止部を含み、
前記ストレート形状パイプの内側に、前記ベローズ形状パイプを接続した電線保護パイプ。
【請求項２】
前記ストレート形状パイプと接続する側の前記ベローズ形状パイプの端部が前記谷部であり、
前記ストレート形状パイプの前記係止部の内径は、前記ベローズ形状パイプの前記山部の外径よりも小さくかつ前記谷部の外径よりも大きい請求項１に記載の電線保護パイプ。
【請求項３】
前記ストレート形状パイプと前記ベローズ形状パイプとは、前記係止構造において、前記ストレート形状パイプの前記内周面の前記一部と前記ベローズ形状パイプの前記谷部の外周面とが接触し、かつ、互いに隣接する前記山部の間に前記係止部が嵌め合わされたことにより互いに固定された請求項２に記載の電線保護パイプ。
【請求項４】
前記ベローズ形状パイプが前記係止部によりつぶされた状態で、前記ストレート形状パイプの前記一部と前記谷部の前記外周面とが接触する請求項３に記載の電線保護パイプ。
【請求項５】
前記ストレート形状パイプの長手方向における前記係止部の長さは、前記ベローズ形状パイプの前記長手方向における、前記隣接する山部間の距離に相当する請求項３又は４に記載の電線保護パイプ。
【請求項６】
第一及び第二の前記ストレート形状パイプを備え、
前記第一のストレート形状パイプの内側に前記ベローズ形状パイプの一端を接続し、前記第二のストレート形状パイプの内側に前記ベローズ形状パイプの他端を接続した請求項１から請求項５のいずれか一項に記載の電線保護パイプ。
【請求項７】
複数本の電線と、
請求項１から請求項６のいずれか一項に記載の電線保護パイプと、を備え、
前記複数本の電線が前記電線保護パイプに挿通されたワイヤハーネス。
【発明の詳細な説明】
【技術分野】
【０００１】
本発明は、電線を保護する電線保護パイプ及びこの電線保護パイプに電線が挿通されたワイヤハーネスに関する。
【背景技術】
【０００２】
自動車等には、搭載される種々の電子機器にバッテリ等からの電力や制御装置からの制御信号を伝えるためにのワイヤハーネスが配索されている。このようなワイヤハーネスの中には、電線を収容して保護するために、プロテクタやコルゲートチューブ等の種々の外装部材を備えるものがある（例えば、特許文献１及び２参照）。
【先行技術文献】
【特許文献】
【０００３】
【特許文献１】特開２０１５−５３７５３号公報
【特許文献２】特開２０１５−８９１４３号公報
【発明の概要】
【発明が解決しようとする課題】
【０００４】
特許文献１のハーネス保持部材は、直線状保持部が、一対の半筒部がヒンジ部を介して開閉可能に連結され係止片を係止凹部に挿入係止させて、ワイヤハーネス本体を収容する筒形状部分を形成するものである。このため、部品形状が複雑になり、部品費が高くなってしまう。また、ワイヤハーネスを製造する際、直線状保持部を開閉する必要があり作業負担が大きい。
【０００５】
特許文献２は、コルゲートチューブと、連結部でコルゲートチューブと連結された硬質パイプと、を備えた外装材を開示する。特許文献２においては、コルゲートチューブ内部に硬質パイプの端部を挿入しやすくするため、開口端よりの連結用凸部とコルゲートチューブの内周面の凹部との間が離間している。このため、硬質パイプの端部とコルゲートチューブの端部との間から飛散物が侵入する場合がある。
【０００６】
本発明は、上述した事情に鑑みてなされたものであり、その目的は、簡素な構成で、気密性を保持しつつ、経路規制及び製造を容易に行うことができる電線保護パイプ及びこの電線保護パイプに電線が挿通されたワイヤハーネスを提供することにある。
【課題を解決するための手段】
【０００７】
前述した目的を達成するために、本発明に係る電線保護パイプ及びワイヤハーネスは、下記（１）〜（７）を特徴としている。
（１）  端部に係止構造を有するストレート形状パイプと、
前記係止構造において前記ストレート形状パイプと接続する、長手方向に谷部と山部とが連続したベローズ形状パイプと、を備え、
前記係止構造は、前記ストレート形状パイプの内周面の一部を内側に環状に突出させた係止部を含み、
前記ストレート形状パイプの内側に、前記ベローズ形状パイプを接続した電線保護パイプ。
【０００８】
（２）  前記ストレート形状パイプと接続する側の前記ベローズ形状パイプの端部が前記谷部であり、
前記ストレート形状パイプの前記係止部の内径は、前記ベローズ形状パイプの前記山部の外径よりも小さくかつ前記谷部の外径よりも大きい上記（１）の構成の電線保護パイプ。
【０００９】
（３）  前記ストレート形状パイプと前記ベローズ形状パイプとは、前記係止構造において、前記ストレート形状パイプの前記内周面の前記一部と前記ベローズ形状パイプの前記谷部の外周面とが接触し、かつ、互いに隣接する前記山部の間に前記係止部が嵌め合わされたことにより互いに固定された上記（２）の構成の電線保護パイプ。
【００１０】
（４）  前記ベローズ形状パイプが前記係止部によりつぶされた状態で、前記ストレート形状パイプの前記一部と前記谷部の前記外周面とが接触する上記（３）の構成の電線保護パイプ。
【００１１】
（５）  前記ストレート形状パイプの長手方向における前記係止部の長さは、前記ベローズ形状パイプの前記長手方向における、前記隣接する山部間の距離に相当する上記（３）又は（４）の構成の電線保護パイプ。
【００１２】
（６）  第一及び第二の前記ストレート形状パイプを備え、
前記第一のストレート形状パイプの内側に前記ベローズ形状パイプの一端を接続し、前記第二のストレート形状パイプの内側に前記ベローズ形状パイプの他端を接続した上記（１）から（５）のいずれかの構成の電線保護パイプ。
【００１３】
（７）  複数本の電線と、
請求項１から請求項６のいずれか一項に記載の電線保護パイプと、を備え、
前記複数本の電線が前記電線保護パイプに挿通されたワイヤハーネス。
【００１４】
上記（１）の構成によれば、電線保護パイプの内部に電線を挿通したワイヤハーネスを搭載する場所に応じて部材をストレート形状パイプとベローズ形状パイプとに分け、ベローズ形状パイプをストレート形状パイプの内側に圧入することで電線保護パイプを組み立てられる。このため、簡素な構成で、経路規制及び製造を容易にすることができる。上記（２）及び（３）の構成によれば、係止部によってストレート形状パイプとベローズ形状パイプとが外れることがない。上記（４）の構成によれば、ストレート形状パイプとベローズ形状パイプとの接続部分の気密性を保持できる。上記（５）の構成によれば、ストレート形状パイプとベローズ形状パイプとの接続部分に隙間が生じるのを防ぎ気密性を保持できる。上記（６）の構成によれば、ベローズ形状パイプの両端にストレート形状パイプを接続した電線保護パイプを容易に製造できる。上記（７）の構成によれば、上記（１）〜（６）の構成の電線保護パイプによる利点を有するワイヤハーネスを提供できる。
【発明の効果】
【００１５】
本発明によれば、簡素な構成で、気密性を保持しつつ、経路規制及び製造を容易に行うことができる電線保護パイプ及びこの電線保護パイプに電線が挿通されたワイヤハーネスを提供できる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】図１は、本実施形態の電線保護パイプの一部を示す斜視図である。
【図２】図２は、本実施形態のストレート形状パイプの例を示す図である。
【図３】図３は、本実施形態のベローズ形状パイプとストレート形状パイプのサイズの相関関係を示す図である。
【図４】図４は、本実施形態のベローズ形状パイプとストレート形状パイプとが固定された状態を示す部分拡大側面図である。
【図５】図５は、本実施形態の電線保護パイプの例を示す図である。
【図６】図６は、本実施形態の電線保護パイプの組立手順を示す図である。
【発明を実施するための形態】
【００１８】
本発明に関する具体的な実施形態について、各図を参照しながら以下に説明する。図１は、本実施形態の電線保護パイプの一部を示す斜視図である。図２は、本実施形態のストレート形状パイプの例を示す図である。図３は、本実施形態のベローズ形状パイプとストレート形状パイプのサイズの相関関係を示す図である。図１に示すように、電線保護パイプ１は、ストレート形状パイプ２と、ベローズ形状パイプ３と、を備える一体型のパイプである。図２（ａ）に示すように、ストレート形状パイプ２は、一方の端部に係止構造２ａを有する。係止構造２ａは、ベローズ形状パイプ３を保持するためのものである。係止構造２ａは、ストレート形状パイプ２の内周面の一部を内側に突出させた環状の係止部２１を含む（図３（ｂ）参照）。ストレート形状パイプ２の長手方向（図２の左右方向）における係止部２１の長さは、ベローズ形状パイプ３の長手方向（図３（ａ）の左右方向）における、隣接する山部３２間の距離に相当する。ストレート形状パイプ２は、図２（ｂ）に示すように、両方の端部に係止構造２ａ、２ｂを有してもよい。係止構造２ｂは、係止構造２ａと同様の構造である。ベローズ形状パイプ３は、図３（ａ）に示すように、係止構造２ａにおいてストレート形状パイプ２と接続する、長手方向（図３（ａ）における左右方向）谷部３１と山部３２とが連続したパイプである。
【００１９】
電線保護パイプ１は、ベローズ形状パイプ３をストレート形状パイプ２の内側に圧入し、ストレート形状パイプ２の係止構造２ａで固定して構成される。ストレート形状パイプ２の内側にベローズ形状パイプ３を圧入するため、ベローズ形状パイプ３は、ストレート形状パイプ２と接続する側の端部が谷部３１である。さらに、図３（ａ）及び図３（ｂ）に示す、ベローズ形状パイプ３の谷部３１の外径Ａ、ベローズ形状パイプ３の山部３２の外径Ｂ、ストレート形状パイプ２の開口部２２の内径Ｃ、及びストレート形状パイプ２の係止部２１の内径Ｄは、下記の相関関係を満たす。
ストレート形状パイプ２の開口部２２の内径Ｃ＞ベローズ形状パイプ３の山部３２の外径Ｂ＞ストレート形状パイプ２の係止部２１の内径Ｄ＞ベローズ形状パイプ３の谷部３１の外径Ａ
谷部３１の外径Ａはベローズ形状パイプ３の最大径であり、山部３２の外径Ｂはベローズ形状パイプ３の最小径である。本明細書では、ベローズ形状パイプ３において、外径Ａと外径Ｂとの中間値よりも大きい径を有する箇所を山部３２、外径Ａと外径Ｂとの中間値よりも小さい径を有する箇所を谷部３１と称する。ストレート形状パイプ２及びベローズ形状パイプ３の材質は樹脂でも金属でもよいが、ベローズ形状パイプ３はストレート形状パイプ２よりも強度が低く変形しやすい。
【００２０】
図４は、本実施形態のベローズ形状パイプ３とストレート形状パイプ２とが固定された状態を示す部分拡大側面図であり、ストレート形状パイプ２を点線で示したものである。図４に示すように、係止構造２ａにおいて、ストレート形状パイプ２の係止部２１の内周面２１ａとベローズ形状パイプ３の谷部３１の外周面３１ａとが接触している。また、互いに隣接する山部３２の間に係止部２１が嵌め合わされている。この構成により、ストレート形状パイプ２とベローズ形状パイプ３とは、互いに固定されている。より詳細には、ベローズ形状パイプ３が係止部２１によりつぶされた状態で、ストレート形状パイプ２の一部（係止部２１）の内周面２１ａとベローズ形状パイプ３の谷部３１の外周面３１ａとが接触している。
【００２１】
図５は、本実施形態の電線保護パイプ１の例を示す図であり、図５（ａ）は直線経路に対応する例、図５（ｂ）は部分曲げ経路に対応する例を示す。図５（ａ）及び図５（ｂ）に示す電線保護パイプ１は、ベローズ形状パイプ３の両端に、ストレート形状パイプ２がそれぞれ圧入により接続されている。電線保護パイプ１を直線経路に対応させる場合は、図５（ａ）に示すように、電線保護パイプ１の内部に複数本の電線等を挿通したワイヤハーネスを直線状に保持できる。また、直線状に保持したベローズ形状パイプ３の長さを微調整することで、ストレート形状パイプ２の寸法公差を吸収して、電線保護パイプ１全体の長さを調整できる。一方、電線保護パイプ１を部分曲げ経路に対応させる場合は、図５（ｂ）に示すように、ベローズ形状パイプ３を任意の曲げ半径に曲げることができ、ベローズ形状パイプ３によって、ワイヤハーネスを屈曲させた状態で保持できる。また、ストレート形状パイプ２によって、ワイヤハーネスを直線状に保持できる。
【００２２】
図６は、本実施形態の電線保護パイプ１の組立手順を示す図である。まず、図６（ａ）に示すように、ベローズ形状パイプ３の右側端部がストレート形状パイプ２の内部に挿入される。次に、図６（ｂ）に示すように、ベローズ形状パイプ３の右側端部の谷部３１は、ストレート形状パイプ２の開口部２２からストレート形状パイプ２の内部に侵入する。そして、ベローズ形状パイプ３の山部３２が係止部２１に接触してつぶされながら、右側端部の谷部３１及びこの谷部３１に続く山部３２が係止部２１を通過する。図６（ｂ）において、ストレート形状パイプ２の係止部２１が、谷部３１の外周面と接触した状態で、ベローズ形状パイプ３の隣接する山部３２の間に嵌め合わされる（図４参照）。これにより、ベローズ形状パイプ３の右側端部に、ストレート形状パイプ２が固定される。そして、図６（ｃ）に示すように、ベローズ形状パイプ３の左側端部がストレート形状パイプ２の内部に挿入される。その後、図６（ｄ）に示すように、ベローズ形状パイプ３の左側端部の谷部３１は、ストレート形状パイプ２の開口部２２からストレート形状パイプ２の内部に侵入する。そして、ベローズ形状パイプ３の山部３２が係止部２１に接触してつぶされながら、左側端部の谷部３１及びこの谷部３１に続く山部３２が係止部２１を通過する。図６（ｄ）において、ストレート形状パイプ２の係止部２１が、谷部３１の外周面と接触した状態で、ベローズ形状パイプ３の隣接する山部３２の間に嵌め合わされる（図４参照）。これにより、ベローズ形状パイプ３の左側端部に、ストレート形状パイプ２が固定される。このように、ベローズ形状パイプ３の両端にストレート形状パイプ２が接続された電線保護パイプ１が組み立てられる。また、上述のように電線保護パイプ１を組み立てた後、電線保護パイプ１の内部に電線を挿通することで、ワイヤハーネスを製造する。
【００２３】
以上説明したように、本実施形態の電線保護パイプ１によれば、ワイヤハーネスを搭載する場所に応じて部材をストレート形状パイプ２及びベローズ形状パイプ３に分けることで、簡素な構成で、ワイヤハーネスの経路規制及び製造を容易にできる。また、ベローズ形状パイプ３が係止部２１によりつぶされた状態で、係止部２１の内周面２１ａと谷部３１の外周面３１ａとが接触することにより、ストレート形状パイプ２とベローズ形状パイプ３との接続部分に隙間が生じるのを防ぎ、気密性を保持できる。さらに、電線保護パイプを一体成形した場合に比べ、品番数が削減できる。ワイヤハーネスの搭載条件に応じて、外装の仕様を変えることができる。ワイヤハーネス出荷時に電線保護パイプ１を折り畳むことができ、省スペースで梱包することができる。また、電線保護パイプ１の構造を簡素化しコストを低減できる。また、ストレート形状パイプ２にベローズ形状パイプ３を圧入することで電線保護パイプ１を製造できるため、作業性が向上する。
【００２４】
なお、本発明の技術的範囲は、上述した実施形態に限定されるものではない。上述した実施形態は、本発明の技術的範囲内で種々の変形や改良等を伴うことができる。例えば、本実施形態では、電線保護パイプ１を組み立てた後、電線保護パイプ１の内部に電線を挿通してワイヤハーネスを製造する例を説明したが、電線を挿通した後に電線保護パイプ１を組み立ててもよい。この場合、予め、各ストレート形状パイプ２及びベローズ形状パイプ３をワイヤハーネスの配索経路に合わせて順に配置しておく。そして、ストレート形状パイプ２及びベローズ形状パイプ３の内部に電線を挿通した状態で、ベローズ形状パイプ３をストレート形状パイプ２の内部に挿入して電線保護パイプ１を組み立てる。
【００２５】
ここで、上述した本発明に係る電線保護パイプの実施形態の特徴をそれぞれ以下［１］〜［７］に簡潔に纏めて列記する。
［１］  端部に係止構造（２ａ，２ｂ）を有するストレート形状パイプ（２）と、
前記係止構造において前記ストレート形状パイプと接続する、長手方向に谷部（３１）と山部（３２）とが連続したベローズ形状パイプ（３）と、を備え、
前記係止構造は、前記ストレート形状パイプの内周面（２１ａ）の一部を内側に環状に突出させた係止部（２１）を含み、
前記ストレート形状パイプの内側に、前記ベローズ形状パイプを接続した電線保護パイプ（１）。
［２］  前記ストレート形状パイプと接続する側の前記ベローズ形状パイプの端部が前記谷部であり、
前記ストレート形状パイプの前記係止部の内径（Ｄ）は、前記ベローズ形状パイプの前記山部の外径（Ｂ）よりも小さくかつ前記谷部の外径（Ａ）よりも大きい上記［１］の構成の電線保護パイプ。
［３］  前記ストレート形状パイプと前記ベローズ形状パイプとは、前記係止構造において、前記ストレート形状パイプの前記内周面（２１ａ）の前記一部と前記ベローズ形状パイプの前記谷部の外周面（３１ａ）とが接触し、かつ、互いに隣接する前記山部の間に前記係止部が嵌め合わされたことにより互いに固定された上記［２］の構成の電線保護パイプ。
［４］  前記ベローズ形状パイプが前記係止部によりつぶされた状態で、前記ストレート形状パイプの前記一部と前記谷部の前記外周面とが接触する上記［３］の構成の電線保護パイプ。
［５］  前記ストレート形状パイプの長手方向における前記係止部の長さは、前記ベローズ形状パイプの前記長手方向における、前記隣接する山部間の距離に相当する上記［３］又は［４］の構成の電線保護パイプ。
［６］  第一及び第二の前記ストレート形状パイプを備え、
前記第一のストレート形状パイプの内側に前記ベローズ形状パイプの一端を接続し、前記第二のストレート形状パイプの内側に前記ベローズ形状パイプの他端を接続した上記［１］から［５］のいずれかの構成の電線保護パイプ。
［７］  複数本の電線と、
上記［１］から［６］のいずれかの構成の電線保護パイプと、を備え、
前記複数本の電線が前記電線保護パイプに挿通されたワイヤハーネス。
【符号の説明】
【００２６】
１  電線保護パイプ
２  ストレート形状パイプ
２ａ，２ｂ  係止構造
３  ベローズ形状パイプ
２１  係止部
２１ａ  内周面
２２  開口部
３１  谷部
３１ａ  外周面
３２  山部
Ａ  谷部３１の外径
Ｂ  山部３２の外径
Ｃ  開口部２２の内径
Ｄ  係止部２１の内径
【図１】
2020088930.tif 000003
【図２】
2020088930.tif 000004
【図３】
2020088930.tif 000005
【図４】
2020088930.tif 000006
【図５】
2020088930.tif 000007
【図６】
2020088930.tif 000008